(57)【特許請求の範囲】
【請求項１】
感光体と、
前記感光体の軸線方向の一端部を回転可能に保持する第１側壁と、
前記感光体の軸線方向の他端部を回転可能に保持し、前記第１側壁と対向配置される第２側壁と、
前記第１側壁と前記第２側壁との間に配置され、前記感光体に対して前記軸線方向と直交する直交方向から対向して前記感光体と接触する回転体と、
前記第１側壁に配置され、前記回転体に接触して外部から入力される電力を前記回転体に供給するためのカートリッジ側電極とを備え、
前記第１側壁は、前記回転体の前記直交方向の移動に伴なって、前記カートリッジ側電極が前記直交方向に移動するように、構成されており、
前記カートリッジ側電極は、前記回転体の軸線を中心として非点対称の形状を有していることを特徴とする、感光体カートリッジ。
【請求項２】
感光体と、
前記感光体の軸線方向の一端部を回転可能に保持する第１側壁と、
前記感光体の軸線方向の他端部を回転可能に保持し、前記第１側壁と対向配置される第２側壁と、
前記第１側壁と前記第２側壁との間に配置され、前記感光体に対して前記軸線方向と直交する直交方向から対向して前記感光体と接触する回転体と、
前記回転体を前記直交方向における前記感光体側に押圧するための押圧部材と、
前記第１側壁に配置され、前記回転体に接触して外部から入力される電力を前記回転体に供給するためのカートリッジ側電極とを備え、
前記回転体は、
前記軸線方向に延びる回転軸と、
前記回転軸における前記軸線方向の中央部を被覆する被覆部とを備え、
前記押圧部材は、
前記回転軸に対して前記直交方向から当接する軸当接部と、
前記直交方向において、前記軸当接部に対して前記回転軸と反対側に配置される支持部と、
圧縮状態で前記軸当接部と前記支持部との間に配置される弾性部材と
を備え、
前記第１側壁は、前記回転体の前記直交方向の移動に伴なって、前記カートリッジ側電極が前記直交方向に移動するように、構成されていることを特徴とする、感光体カートリッジ。
【請求項３】
前記カートリッジ側電極は、前記回転体を回転可能に保持する回転体保持部と、前記回転体保持部から突出する突起とを備え、
前記第１側壁には、前記軸線方向に貫通し、前記回転体保持部を支持する穴と、前記穴に連続して形成される溝とが形成されており、
前記突起は、前記溝に嵌まることを特徴とする、請求項１または２に記載の感光体カートリッジ。
【請求項４】
前記溝の溝幅は、前記突起の幅よりも長いことを特徴とする、請求項３に記載の感光体カートリッジ。
【請求項５】
前記穴は、長穴であり、
前記長穴の最短の直径は、前記回転体保持部の外径よりも長いことを特徴とする、請求項３または４に記載の感光体カートリッジ。
【請求項６】
前記回転体保持部は、前記突起よりも前記回転体保持部の前記第２側壁側に配置される係止爪を備え、
前記カートリッジ側電極は、前記第１側壁に対して前記回転体と反対側に突出する突出部を備え、前記第１側壁に対して前記軸線方向に相対的に移動するように構成されていることを特徴とする、請求項３〜５のいずれか一項に記載の感光体カートリッジ。
【請求項７】
前記第１側壁に対して前記回転体と反対側に配置され、前記第１側壁を保持する第３側壁をさらに備え、
前記カートリッジ側電極は、前記第３側壁に対して前記回転体と反対側へ突出する突出部を有し、
前記突出部は、外部からの電力が入力されるように構成されたカートリッジ接点を含むことを特徴とする、請求項１〜６のいずれか一項に記載の感光体カートリッジ。
【請求項８】
前記回転体は、前記感光体の周面を清掃するためのクリーニングローラであることを特徴とする、請求項１〜７のいずれか一項に記載の感光体カートリッジ。
【請求項９】
前記カートリッジ側電極は、導電性樹脂から形成されていることを特徴とする、請求項１〜８のいずれか一項に記載の感光体カートリッジ。
【請求項１０】
前記回転体を前記直交方向における前記感光体側に押圧するための押圧部材をさらに備えることを特徴とする、請求項１に記載の感光体カートリッジ。
【請求項１１】
前記軸当接部は、前記被覆部の前記軸線方向端部と前記回転軸の軸線方向端部との間において、前記被覆部側に配置されていることを特徴とする、請求項２に記載の感光体カートリッジ。
【請求項１２】
装置本体内に装着される請求項１〜１１のいずれか一項に記載の感光体カートリッジと、
前記装置本体内に設けられ、前記感光体カートリッジの前記カートリッジ側電極に電力を供給するための本体側電極とを備えることを特徴とする、画像形成装置。
【請求項１３】
前記感光体カートリッジは、前記第２側壁に対して前記回転体の反対側に配置され、前記第２側壁を保持する第４側壁を備え、
前記本体側電極は、前記カートリッジ側電極に対して前記軸線方向一端部側から弾性的に接触するように構成され、
前記第４側壁は、前記回転体を前記軸線方向に位置決めするための位置決め部を備えていることを特徴とする、請求項１２に記載の画像形成装置。
【発明の詳細な説明】
【技術分野】
【０００１】
本発明は、電子写真方式が採用される画像形成装置に装着される感光体カートリッジ、および、その感光体カートリッジを備える画像形成装置に関する。
【背景技術】
【０００２】
電子写真方式のプリンタとして、感光ドラムを備える感光体カートリッジと、感光ドラムにトナーを供給する現像ローラを有する現像カートリッジとを備えるプロセスカートリッジを着脱可能に備えるプリンタが知られている。
【０００３】
このようなプリンタに装着される感光体カートリッジとして、例えば、感光ドラム、感光ドラムの上側に対向配置されるスコロトロン型帯電器、感光ドラムに下方から対向接触される転写ローラ、および、感光ドラムに後側から対向接触されるクリーニングブラシを備える感光体カートリッジが知られている（たとえば、特許文献１参照。）。
【０００４】
この感光体カートリッジのドラム側筺体には、本体ケーシングの給電部材に接触される電極部材が、転写ローラのローラ軸の幅方向他端面に当接するように設けられている。
【０００５】
そして、転写ローラは、感光体カートリッジの筺体に遊動自在に遊嵌されており、感光ドラムと接触することによって上方への移動が規制され、給電部材の弾性力によって電極部材とともに幅方向一方へ位置決めされる。
【先行技術文献】
【特許文献】
【０００６】
【特許文献１】特開２００６−３３０６２０号公報
【発明の概要】
【発明が解決しようとする課題】
【０００７】
しかしながら、上記した特許文献１に記載の感光体カートリッジでは、転写ローラが感光体カートリッジの筺体に対して遊動自在であるのに対し、電極部材は、その係合部において、感光体カートリッジの筺体の挿入開口部の内側面に係合されている。
【０００８】
そのため、感光ドラムの回転に追従して転写ローラが上下に微動すると、電極部材の当接面と、ローラ軸の軸方向端面とが擦れて、それらが摩耗する場合がある。
【０００９】
電極部材の当接面や、ローラ軸の軸方向端面が摩耗すると、その分、電極部材の当接面と、ローラ軸の軸方向端面とを当接させることが困難となり、転写ローラに安定して転写バイアスを印加することが困難となる。
【００１０】
本発明の目的は、回転体に電力を安定供給することができる感光体カートリッジ、および、その感光体カートリッジを備える画像形成装置を提供することにある。
【課題を解決するための手段】
【００１１】
（１）上記した目的を達成するために、本発明の感光体カートリッジは、感光体と、感光体の軸線方向の一端部を回転可能に保持する第１側壁と、感光体の軸線方向の他端部を回転可能に保持し、第１側壁と対向配置される第２側壁と、第１側壁と第２側壁との間に配置され、感光体に対して軸線方向と直交する直交方向から対向して感光体と接触する回転体と、第１側壁に配置され、回転体に接触して外部から入力される電力を回転体に供給するためのカートリッジ側電極とを備える。
【００１２】
第１側壁は、回転体の直交方向の移動に伴なってカートリッジ側電極が直交方向に移動するように、構成されている。
【００１３】
このような構成によれば、カートリッジ側電極を、回転体の直交方向への移動に追従させることができる。
【００１４】
そのため、回転体が直交方向へ移動されたときに、カートリッジ側電極と回転体とが擦れることを抑制できる。
【００１５】
その結果、カートリッジ側電極および回転体の摩耗を抑制して、回転体に電力を安定供給することができる。
【００１６】
また、第１側壁において、カートリッジ側電極を保持するとともに、感光体を保持することができる。
【００１７】
そのため、感光体を保持する部材と、カートリッジ側電極を保持する部材とを、別途設ける必要がなく、部品点数の低減を図ることができる。
（２）また、カートリッジ側電極は、回転体を回転可能に保持する回転体保持部を備えていてもよい。
【００１８】
このような構成によれば、カートリッジ側電極の回転体保持部を利用して、回転体を保持することができる。
【００１９】
そのため、別途、回転体を保持する部材を設ける必要がなく、部品点数の低減を図ることができる。
（３）また、第１側壁は、カートリッジ側電極を保持する電極保持部であって、第１側壁を軸線方向に貫通し、直交方向に長径な長穴形状を有する電極保持部を備えていてもよい。
【００２０】
このような構成によれば、カートリッジ側電極を、直交方向において遊びを持たせて、保持することができる。
【００２１】
そのため、カートリッジ側電極を、直交方向への回転体の移動に確実に追従させることができる。
【００２２】
その結果、回転体に、より安定して、電力を供給することができる。
（４）また、カートリッジ側電極は、第１側壁に対して軸線方向に相対的に移動するように構成されていてもよい。
【００２３】
このような構成によれば、カートリッジ側電極を、軸線方向への回転体の移動に確実に追従させることができる。
【００２４】
そのため、回転体に、より一層安定して、電力を供給することができる。
（５）また、本発明の感光体カートリッジは、第１側壁に対して回転体と反対側に配置され、第１側壁を保持する第３側壁をさらに備えていてもよい。
【００２５】
この場合、カートリッジ側電極は、第３側壁に対して回転体と反対側へ突出する突出部を有していてもよい。
【００２６】
突出部は、外部からの電力が入力されるように構成されたカートリッジ接点を含んでもよい。
【００２７】
このような構成によれば、突出部のカートリッジ接点に対して外部（第３側壁に対して回転体と反対側）から容易に接触することができる。
（６）また、カートリッジ側電極は、回転体の軸線を中心として非点対称の形状を有していてもよい。
【００２８】
このような構成によれば、カートリッジ側電極が、回転体の軸線を中心として回転することを規制することができる。
【００２９】
そのため、カートリッジ側電極に対して、外部から安定して電力を入力することができる。
（７）また、回転体は、感光体の周面を清掃するためのクリーニングローラであってもよい。
【００３０】
このような構成によれば、感光体の周面をクリーニングすることができる。
（８）また、カートリッジ側電極は、導電性樹脂から形成されていてもよい。
【００３１】
このような構成によれば、カートリッジ側電極を、導電性樹脂から容易に成形することができる。
（９）また、本発明の感光体カートリッジは、回転体を直交方向における感光体側に押圧するための押圧部材をさらに備えてもよい。
【００３２】
このような構成によれば、押圧部材によって回転体を感光体に対して押圧して、回転体を感光体に安定して接触させることができる。
（１０）また、回転体は、軸線方向に延びる回転軸と、回転軸における軸線方向の中央部を被覆する被覆部とを備えていてもよい。
【００３３】
また、押圧部材は、回転軸に対して直交方向から当接する軸当接部と、直交方向において、軸当接部に対して回転軸と反対側に配置される支持部と、圧縮状態で軸当接部と支持部との間に配置される弾性部材とを備えていてもよい。
【００３４】
このような構成によれば、簡易な構成で、回転体を感光体に対して押圧することができ、回転体を感光体に安定して接触させることができる。
（１１）また、軸当接部は、被覆部の軸線方向端部と回転軸の軸線方向端部との間において、被覆部側に配置されていてもよい。
【００３５】
このような構成によれば、より被覆部側において、軸当接部を回転軸に対して当接させることができる。
【００３６】
そのため、被覆部を感光体に対して安定に押圧することができる。
（１２）また、本発明の画像形成装置は、装置本体内に装着される上記の感光体カートリッジと、装置本体内に設けられ、感光体カートリッジのカートリッジ側電極に電力を供給するための本体側電極とを備える。
【００３７】
このような構成によれば、上記のように、カートリッジ側電極および回転体の摩耗を抑制して、回転体に電力を安定供給することができる。
（１３）また、感光体カートリッジは、第２側壁に対して回転体の反対側に配置され、第２側壁を保持する第４側壁を備えていてもよい。
【００３８】
また、本体側電極は、カートリッジ側電極に対して軸線方向一端部側から弾性的に接触するように構成されていてもよい。
【００３９】
また、第４側壁は、回転体を軸線方向に位置決めするための位置決め部を備えていてもよい。
【００４０】
このような構成によれば、本体側電極をカートリッジ側電極に対して軸線方向一端部側から弾性的に接触させて、カートリッジ側電極と回転体とを、第４側壁の位置決め部に位置決めすることができる。
【００４１】
そのため、本体側電極をカートリッジ側電極に対して確実に接触させることができながら、カートリッジ側電極と回転体とを第４側壁に対して位置決めすることができる。
【発明の効果】
【００４２】
本発明の感光体カートリッジ、および、本発明の画像形成装置によれば、回転体に電力を安定供給することができる。
【図面の簡単な説明】
【００４３】
【図１】図１は、本発明の画像形成装置の一例としてのプリンタの側断面図である。
【図２】図２は、図１に示すドラムカートリッジの後上側から見た斜視図である。
【図３】図３は、図２に示すドラムカートリッジの右側から見た側面図である。
【図４】図４は、図３のＡ−Ａ断面図である。
【図５】図５は、図４のＢ−Ｂ断面図である。
【図６】図６は、図２に示すドラムカートリッジの前上側から見た斜視図であって、上壁が外された状態を示す。
【図７】図７は、クリーニング軸受部材およびドラム軸受部材を説明するための説明図である。
【図８】図８は、図７に示す右軸受部材の右側から見た側面図である。
【図９】図９は、図２に示すカートリッジ側電極をであって、（ａ）は、右側から見た側面図を示し、（ｂ）は、平面図を示す。
【図１０】図１０は、カートリッジ側電極が組み付けられた右軸受部材を示し、（ａ）は、右側から見た側面図を示し、（ｂ）は、後上側から見た側面図を示す。
【発明を実施するための形態】
【００４４】
１．プリンタの全体構成
図１に示すように、画像形成装置の一例としてのプリンタ１は、横置きタイプのダイレクトタンデム型カラープリンタである。
【００４５】
なお、以下の説明において、方向について言及する場合には、プリンタ１を水平に載置した状態を基準として、図１における紙面左側を前側とし、図１における紙面右側を後側とする。また、プリンタ１を前側から見たときを左右の基準とする。すなわち、図１の紙面手前側が右側であり、紙面奥側が左側である。
【００４６】
プリンタ１は、装置本体の一例としての本体ケーシング２内において、用紙Ｓを給紙するための給紙部３と、給紙された用紙Ｓに画像を形成するための画像形成部４とを備えている。
（１）本体ケーシング
本体ケーシング２は、給紙部３および画像形成部４を収容する側面視略矩形状のボックス形状に形成されている。本体ケーシング２の上端部には、各プロセスカートリッジ１１（後述）を着脱するための本体開口部５が形成されている。また、本体ケーシング２の上端部には、本体開口部５を開閉するトップカバー６が、その後端部を支点として揺動可能に設けられている。
（２）給紙部
給紙部３は、用紙Ｓを収容する給紙トレイ７を備えている。給紙トレイ７は、本体ケーシング２の底部に着脱自在に装着されている。給紙トレイ７の前端部上側には、ピックアップローラ８と、１対の給紙ローラ９とが設けられている。また、両給紙ローラ９の上側には、１対のレジストローラ１０が設けられている。
【００４７】
給紙トレイ７に収容されている用紙Ｓは、ピックアップローラ８、両給紙ローラ９の回転により、両レジストローラ１０間に向けて１枚ずつ給紙され、所定のタイミングで、画像形成部４（感光ドラム１５（後述）と搬送ベルト１９（後述）との間）に向けて搬送される。
（３）画像形成部
画像形成部４は、各色に対応するプロセスカートリッジ１１、ＬＥＤユニット１２、転写ユニット１３および定着ユニット１４を備えている。
（３−１）プロセスカートリッジ
各プロセスカートリッジ１１は、本体ケーシング２に対して着脱可能であり、給紙部３の上側において、互いに前後方向（直交方向）に沿って間隔を隔てて並列配置されている。また、各プロセスカートリッジ１１は、感光体カートリッジの一例としてのドラムカートリッジ２４と、ドラムカートリッジ２４に着脱可能に装着される現像カートリッジ２５とを備えている。
【００４８】
ドラムカートリッジ２４は、感光体の一例としての感光ドラム１５およびスコロトロン型帯電器２６を備えている。
【００４９】
感光ドラム１５は、左右方向（軸線方向）に長手の円筒形状に形成されており、ドラムカートリッジ２４に回転可能に設けられている。
【００５０】
スコロトロン型帯電器２６は、感光ドラム１５の後側に間隔を隔てて対向配置されている。
【００５１】
現像カートリッジ２５は、現像ローラ１６を備えている。
【００５２】
現像ローラ１６は、現像カートリッジ２５の後端部において後側から露出されるように設けられ、感光ドラム１５に対して前上側から接触されている。
【００５３】
また、現像カートリッジ２５は、現像ローラ１６にトナーを供給する供給ローラ２７、現像ローラ１６に供給されたトナーの厚みを規制する層厚規制ブレード２８を備え、それらの上側において、トナーを収容している。
（３−２）ＬＥＤユニット
各ＬＥＤユニット１２は、対応するプロセスカートリッジ１１の後上側において、対応する感光ドラム１５に上側から対向するように設けられている。各ＬＥＤユニット１２は、所定の画像データに基づいて、対応する感光ドラム１５の表面を露光する。
（３−３）転写ユニット
転写ユニット１３は、給紙部３の上側であって、各プロセスカートリッジ１１の下側に、前後方向に沿って配置されている。
【００５４】
転写ユニット１３は、互いに前後方向に間隔を隔てて対向配置される駆動ローラ１７および従動ローラ１８と、各感光ドラム１５に対して下側から対向され、その上側部分が各感光ドラム１５と接触するように、駆動ローラ１７および従動ローラ１８の周りに掛け渡される搬送ベルト１９とを備えている。
【００５５】
搬送ベルト１９は、駆動ローラ１７の駆動により、各感光ドラム１５と接触する上側部分が前側から後側に向かって移動するように、周回移動されている。
【００５６】
なお、転写ユニット１３は、搬送ベルト１９の上側部分を挟んで各感光ドラム１５に対向する４つの転写ローラ２０を備えている。
（３−４）定着ユニット
定着ユニット１４は、転写ユニット１３の後側に配置され、加熱ローラ２１、および、加熱ローラ２１に圧接される加圧ローラ２２を備えている。
（４）画像形成動作
現像カートリッジ２５内のトナーは、供給ローラ２７に供給され、さらに、現像ローラ１６に供給され、供給ローラ２７と現像ローラ１６との間で正極性に摩擦帯電される。
【００５７】
現像ローラ１６に供給されたトナーは、現像ローラ１６の回転に伴って、層厚規制ブレード２８によって厚さが規制され、一定厚さの薄層として現像ローラ１６の表面に担持される。
【００５８】
一方、各感光ドラム１５の表面は、スコロトロン型帯電器２６によって一様に帯電された後、ＬＥＤユニット１２によって露光される。これにより、各感光ドラム１５の表面には、画像データに基づく静電潜像が形成される。そして、現像ローラ１６に担持されるトナーが各感光ドラム１５の表面上の静電潜像に供給されることにより、感光ドラム１５の表面上にトナー像（現像剤像）が担持される。
【００５９】
そして、給紙部３から給紙された用紙Ｓは、搬送ベルト１９によって、前側から後側に向かって搬送される。用紙Ｓには、各感光ドラム１５と各転写ローラ２０との間（転写位置）を通過するときに各色のトナー像が順次転写され、カラー画像が形成される。
【００６０】
そして、転写ユニット１３において用紙Ｓに転写されたカラー画像は、用紙Ｓが加熱ローラ２１と加圧ローラ２２との間を通過するときに、加熱および加圧されることによって用紙Ｓに熱定着される。
【００６１】
その後、用紙Ｓは、前上側へＵターンするように搬送されて、トップカバー６に設けられる排紙トレイ２３に排紙される。
２．ドラムカートリッジ
（１）ドラムフレーム
ドラムカートリッジ２４は、図２および図３に示すように、略矩形有底枠形状に形成されるドラムフレーム３１を備えている。
【００６２】
ドラムフレーム３１は、左右１対の側壁３２、両側壁３２の前端部間に架設される前壁３３、両側壁３２の後端部間の上方に架設される上壁３４、および、両側壁３２の下端部間に架設される下壁３５を備えている。右側の側壁３２は、第３側壁として機能し、左側の側壁３２は、第４側壁として機能する。
【００６３】
両側壁３２は、前後方向（詳しくは、前上側と後下側とを結ぶ方向）に延びる側面視略矩形状に形成されている。両側壁３２には、ドラム軸受部材６２（後述）を支持するドラム軸受支持穴３９が形成されている。また、右側の側壁３２には、カートリッジ側電極８１（後述）を保持する電極露出穴４０が形成されている。
【００６４】
ドラム軸受支持穴３９は、側壁３２の後端部において、側面視略円形状に貫通形成されている。ドラム軸受支持穴３９は、左軸受部材６２Ｌ（後述）のカラー部７６（後述）、または、右軸受部材６２Ｒ（後述）のカラー部６９（後述）を受け入れ可能に、左軸受部材６２Ｌ（後述）のカラー部７６、および、右軸受部材６２Ｒ（後述）のカラー部６９（後述）の外径よりも大径に形成されている。
【００６５】
電極露出穴４０は、右側の側壁３２の後端部において、ドラム軸受支持穴３９の後側に配置され、前後方向に長手の側面視略長穴形状に形成されている。電極露出穴４０の上下方向長さは、カートリッジ側電極８１（後述）の突出部８３（後述）の上下方向長さとほぼ同じ長さ（わずかに長い）に設定されている。また、電極露出穴４０の前後方向長さは、カートリッジ側電極８１（後述）の前後方向における移動を許容するように、カートリッジ側電極８１（後述）の突出部８３（後述）の前後方向長さよりも長く設定されている。
【００６６】
前壁３３は、左右方向に延びる略平板形状に形成されている。
【００６７】
上壁３４は、左右方向に延びる略平板形状に形成され、感光ドラム１５を上側から被覆するように設けられている。また、上壁３４には、スコロトロン型帯電器２６が支持されている。
【００６８】
下壁３５は、前壁３３の下端部に連続して後側へ延び、上側へ向かって開放される側面視略Ｕ字の平板形状に形成されている。なお、下壁３５の後端部には、感光ドラム１５を下側へ露出するように、左右方向に長手のドラム露出開口３８（図１参照）が貫通形成されている。
【００６９】
また、下壁３５は、図４および図６に示すように、押圧部材４１（後述）を収容する押圧部材収容部４２を備えている。
【００７０】
押圧部材収容部４２は、下壁３５の後端部の左右両端部において、クリーニングローラ５１（後述）のローラ本体５７（後述）の左右方向外側近傍に１つずつ配置され、前後方向に延びる略矩形枠形状に形成されている。また、各押圧部材収容部４２の後端部には、押圧部材４１（後述）の後端部が嵌合される嵌合溝４７が形成されている。
【００７１】
嵌合溝４７は、押圧部材収容部４２の後壁の左右方向略中央において、前後方向に貫通形成されている。
【００７２】
そして、図２に示すように、ドラムフレーム３１において、下壁３５の後側半分と、その下壁３５の後側半分に対応する両側壁３２および上壁３４とによって、感光ドラム１５を収容するドラム収容部３６が区画されている。
【００７３】
また、ドラムフレーム３１において、下壁３５の前側半分と、その下壁３５の前側半分に対応する両側壁３２および前壁３３と、上壁３４の前端縁とによって、現像カートリッジ２５を装着するための現像カートリッジ装着部３７が区画されている。
（２）感光ドラムおよびクリーニングローラ
ドラム収容部３６内には、図４および図６に示すように、感光ドラム１５と、回転体の一例としてのクリーニングローラ５１とが収容されている。
【００７４】
感光ドラム１５は、素管５２と、素管５２の左右両端部に設けられるフランジ部材５３とを備えている。
【００７５】
素管５２は、金属からなり、左右方向に延びる略円筒形状に形成されている。素管５２の外周面には、感光層が被覆されている。
【００７６】
両フランジ部材５３は、樹脂からなり、素管５２内に相対回転不能に挿入される素管嵌合部５４と、ドラム軸受部材６２（後述）を介して、ドラム軸受支持穴３９に相対回転可能に支持される軸受嵌合部５５とを一体的に備えている。
【００７７】
軸受嵌合部５５は、素管嵌合部５４の中央部分から左右方向外方へ突出する略円柱形状に形成されている。
【００７８】
また、左側のフランジ部材５３の軸受嵌合部５５には、その左端部の周縁部において、本体ケーシング２内のカップリング雄部材（図示せず）の嵌合突起（図示せず）が嵌合される４つのカップリング嵌合溝５０が、周方向に互いに約９０°の間隔を隔てて形成されている。また、左側のフランジ部材５３の軸受嵌合部５５には、その右端部において、伝達ギヤ５８が相対回転不能に設けられている。
【００７９】
クリーニングローラ５１は、感光ドラム１５の後側から対向接触されている。また、クリーニングローラ５１は、回転軸の一例としてのローラ軸５６と、ローラ軸５６を被覆するように設けられる被覆部の一例としてのローラ本体５７とを備えている。
【００８０】
ローラ軸５６は、左右方向に延びる略円柱形状に金属から形成されている。ローラ軸５６の左端部には、左側のフランジ部材５３の伝達ギヤ５８と噛み合うクリーニングローラ駆動ギヤ５９が相対回転不能に設けられている。
【００８１】
ローラ本体５７は、スポンジからなり、ローラ軸５６の左右方向中央部分を被覆し、ローラ軸５６の左右両端部を露出する略円筒形状に形成されている。
（３）押圧部材
ドラムカートリッジ２４は、図４、図５および図６に示すように、各押圧部材収容部４２内において、クリーニングローラ５１を感光ドラム１５に向かって押圧する押圧部材４１を備えている。
【００８２】
各押圧部材４１は、前後方向に延びる断面視略矩形の平板形状に形成されている。各押圧部材４１には、ばね支持穴４５が形成されている。また、押圧部材４１は、軸当接部４４を備えている。
【００８３】
ばね支持穴４５は、押圧部材４１の上下方向略中央において、前後方向に延びる側面視略矩形状に貫通形成されている。ばね支持穴４５内には、２つのばね支持ボス４６が設けられている。
【００８４】
各ばね支持ボス４６は、ばね支持穴４５の前後の内周面からばね支持穴４５内に向かって突出する略円柱形状に形成されている。詳しくは、前側のばね支持ボス４６は、ばね支持穴４５の前側内周面から後側に向かって突出し、後側のばね支持ボス４６は、ばね支持穴４５の後側内周面から前側に向かって突出している。
【００８５】
そして、ばね支持穴４５内には、弾性部材の一例としての圧縮ばね４３が、その前後両端部においてそれぞればね支持ボス４６に遊嵌されるように、支持されている。すなわち、押圧部材４１の後端部は、軸当接部４４の後側に対向配置される支持部として機能する。なお、圧縮ばね４３の左右方向両端部は、ばね支持穴４５から左右方向両側へ膨出されている（図４参照）。
【００８６】
軸当接部４４は、押圧部材４１の前端部に設けられ、左右方向に延び、その前端部が開放された側面視略Ｃ字形状に形成されている。軸当接部４４の内径は、クリーニングローラ５１のローラ軸５６の外径と略同径（わずかに大径）に形成されている。
【００８７】
そして、図４および図６に示すように、押圧部材４１は、その後端部が嵌合溝４７に遊嵌されるように、押圧部材収容部４２内に収容されている。
【００８８】
また、圧縮ばね４３の後端部は、その左右方向両端部において、嵌合溝４７の周縁部に前側から当接されている。
【００８９】
これにより、圧縮ばね４３は、押圧部材収容部４２の後壁と軸当接部４４との間において、圧縮状態で配置されている。また、押圧部材４１は、常には、圧縮ばね４３の付勢力により前側へ付勢されている。
（４）クリーニング軸受部材およびドラム軸受部材
ドラム収容部３６内には、クリーニングローラ５１のローラ軸５６の左端部を軸受するクリーニング軸受部材６１と、感光ドラム１５の各フランジ部材５３を軸受する左右１対のドラム軸受部材６２とを備えている。
（４−１）クリーニング軸受部材
クリーニング軸受部材６１は、図７に示すように、後端部が幅狭となる側面視略雫形状の平板形状に形成されている。クリーニング軸受部材６１は、クリーニング軸受部６３と、係止ボス７９とを備えている。また、クリーニング軸受部材６１には、フランジ挿通穴６４が形成されている。
【００９０】
クリーニング軸受部６３は、クリーニング軸受部材６１の後端部において、クリーニング軸受部材６１を左右方向に貫通し、クリーニング軸受部材６１の左面から左側へ突出する略円筒形状に形成されている。クリーニング軸受部６３の内径は、ローラ軸５６の外径と略同径に形成されている。
【００９１】
係止ボス７９は、クリーニング軸受部６３の前側に配置され、クリーニング軸受部材６１の左面から左側へ突出する略角柱形状に形成されている。
【００９２】
フランジ挿通穴６４は、クリーニング軸受部材６１の前端部において、係止ボス７９の前側に配置され、前後方向に長手の側面視長穴形状に貫通形成されている。フランジ挿通穴６４の内径は、軸受嵌合部５５の外径よりも大径に形成されている。
（４−２）ドラム軸受部材
（４−２−１）左軸受部材
左側のドラム軸受部材６２（第２側壁の一例、以下、左軸受部材６２Ｌとする。）は、中央部が円形状に膨出する前後方向（詳しくは、前上側と後下側とを結ぶ方向）に延びる略平板形状に形成されており、フランジ支持部７３と、クリーニング軸受支持部７４とを一体的に備えている。
【００９３】
フランジ支持部７３は、左軸受部材６２Ｌの前後方向略中央に設けられている。フランジ支持部７３には、フランジ支持穴７５が形成されている。また、フランジ支持部７３は、カラー部７６を備えている。
【００９４】
フランジ支持穴７５は、左軸受部材６２Ｌの前後方向略中央において、側面視略円形状に貫通形成されている。フランジ支持穴７５の直径は、軸受嵌合部５５の外径と略同径（わずかに大径）に設定されている。
【００９５】
カラー部７６は、左軸受部材６２Ｌの左面において、フランジ支持穴７５の周縁部から左側へ突出する略円筒形状に形成されている。
【００９６】
クリーニング軸受支持部７４は、フランジ支持部７３の後側に設けられている。クリーニング軸受支持部７４には、クリーニング軸受支持穴７７と、軸受係止溝７８とが形成されている。
【００９７】
クリーニング軸受支持穴７７は、前後方向に長手の側面視略長穴形状に形成されている。クリーニング軸受支持穴７７の上下方向長さは、クリーニング軸受部６３の外径と略同じ長さ（わずかに長い）に設定されている。クリーニング軸受支持穴７７の前後方向長さは、クリーニング軸受部６３の外径よりも長く設定されている。
【００９８】
軸受係止溝７８は、クリーニング軸受支持穴７７の前端部の上下方向略中央に連続して、後側が開放された側面視略Ｕ字形状に形成されている。軸受係止溝７８の溝幅（上下方向長さ）は、クリーニング軸受部材６１の係止ボス７９の上下方向長さと略同じ長さ（わずかに長い）に設定されている。
（４−２−２）右軸受部材
軸受部材の一例としての右側のドラム軸受部材６２（第１側壁の一例、以下、右軸受部材６２Ｒとする。）は、図７および図８に示すように、中央部が円形状に膨出する前後方向（詳しくは、前上側と後下側とを結ぶ方向）に延びる略平板形状に形成されており、軸受部の一例としてのフランジ支持部６５と、電極支持部６７とを一体的に備えている。
【００９９】
フランジ支持部６５は、右軸受部材６２Ｒの前後方向略中央に設けられている。フランジ支持部６５には、フランジ支持穴６６が形成されている。また、フランジ支持部６５は、カラー部６９を備えている。
【０１００】
フランジ支持穴６６は、右軸受部材６２Ｒの前後方向略中央において、側面視略円形状に形成されている。フランジ支持穴６６の直径は、軸受嵌合部５５の外径と略同径（わずかに大径）に設定されている。
【０１０１】
カラー部６９は、右軸受部材６２Ｒの右面において、フランジ支持穴６６の周縁部から右側へ突出するように、右端部が閉鎖された略円筒形状に形成されている。カラー部６９の右壁には、カラー部６９と中心軸線を共有するように、左右方向に延びるシャフト６８が相対回転不能に支持されている。
【０１０２】
電極支持部６７は、フランジ支持部６５の後側に設けられている。電極支持部６７には、電極保持部の一例としての電極支持穴７０と、電極係止溝７２とが形成されている。また、電極支持部６７は、電極支持筒７１を備えている。
【０１０３】
電極支持穴７０は、前後方向に長手の側面視略長穴形状に形成されている。電極支持穴７０の上下方向長さは、カートリッジ側電極８１（後述）のクリーニング軸保持部８２（後述）の外径と略同じ長さ（わずかに長い）に設定されている。電極支持穴７０の前後方向長さは、カートリッジ側電極８１（後述）のクリーニング軸保持部８２（後述）の外径よりも長く設定されている。
【０１０４】
電極係止溝７２は、電極支持穴７０の後端部の上下方向略中央に連続して、後側が開放された側面視略Ｕ字形状に形成されている。電極係止溝７２の溝幅（上下方向長さ）は、カートリッジ側電極８１（後述）の係止突起８６（後述）の上下方向長さと略同じ長さ（わずかに長い）に設定されている。
【０１０５】
電極支持筒７１は、右軸受部材６２Ｒの左面において、電極支持穴７０の周縁部から左側へ突出する略筒形状に形成されている。
（５）カートリッジ側電極
ドラムカートリッジ２４は、図２に示すように、クリーニングローラ５１のローラ軸５６に電気的に接続されるカートリッジ側電極８１を備えている。
【０１０６】
カートリッジ側電極８１は、図９に示すように、導電性樹脂（例えば、ポリアセタール（ＰＯＭ）樹脂）からなり、回転体保持部の一例としてのクリーニング軸保持部８２と、突出部８３と、接触部８７（図４参照）とを一体的に備えている。
【０１０７】
クリーニング軸保持部８２は、右端部が閉鎖され、左右方向に延びる略円筒形状に形成されている。クリーニング軸保持部８２は、係止爪８４と係止突起８６とを備えている。
【０１０８】
係止爪８４は、クリーニング軸保持部８２の左端部の後上側端部に配置され、左側へ突出し、その左端部において後上側へ屈曲される略鉤形状に形成されている。詳しくは、係止爪８４は、クリーニング軸保持部８２の周方向に間隔を隔てるように、クリーニング軸保持部８２の左端縁から右側へ向かって切り欠かれる１対の切り込み８５の間に設けられている。
【０１０９】
係止突起８６は、クリーニング軸保持部８２の右側前端縁から前側へ突出する略角柱形状に形成されている。つまり、カートリッジ側電極８１は、クリーニングローラ５１の中心軸線Ａを中心として非点対称の形状を有している。
【０１１０】
突出部８３は、クリーニング軸保持部８２の右端部の下側半分に連続して、左右方向に延び、右端部が閉鎖された略角筒形状に形成されている。また、突出部８３の下端部は、左右方向に投影したときに、その前後両端部において、クリーニング軸保持部８２の投影面から膨出している。
【０１１１】
接触部８７は、突出部８３およびクリーニング軸保持部８２内において、突出部８３およびクリーニング軸保持部８２の右壁の内面（左面）から左側へ向かって延びる略柱形状に形成されている（図４参照）。
【０１１２】
そして、カートリッジ側電極８１は、図１０に示すように、クリーニング軸保持部８２において、ドラム軸受部材６２の電極支持穴７０内に遊びを有して保持され、電極支持穴７０の前後方向長さの分、前後方向に移動可能である。
【０１１３】
このとき、カートリッジ側電極８１の係止突起８６は、ドラム軸受部材６２の電極係止溝７２に遊嵌されている（図１０（ａ）参照）。
【０１１４】
また、カートリッジ側電極８１の係止爪８４の左端部は、ドラム軸受部材６２の電極支持筒７１の左端部よりも左側に配置されている（図１０（ｂ）参照）。なお、係止爪８４の左端部（後上側へ屈曲された部分）は、右軸受部材６２Ｒの電極支持筒７１の左端部に対して左右方向にわずかに間隔を隔てて対向されている。
【０１１５】
また、突出部８３は、電極支持部６７の右面よりも右側に配置されている。なお、突出部８３の下端部（クリーニング軸保持部８２の左右方向投影面から膨出している部分）は、電極支持部６７の右面に対して左右方向にわずかに間隔を隔てて対向されている（図１０（ｂ）参照）。
【０１１６】
これにより、カートリッジ側電極８１は、係止爪８４の左端部（後上側へ屈曲された部分）と、右軸受部材６２Ｒの電極支持部６７との間隔、および、突出部８３の下端部（クリーニング軸保持部８２の左右方向投影面から膨出している部分）と、右軸受部材６２Ｒの電極支持部６７との間隔の分、左右方向に移動可能である。
（６）感光ドラムおよびクリーニングローラの組み付けに関する構成
クリーニング軸受部材６１は、図７に示すように、クリーニング軸受部６３において、クリーニングローラ５１のローラ軸５６の左端部に対して相対回転可能に嵌合（ローラ軸５６の径方向外側から嵌合）されている。また、クリーニング軸受部材６１のフランジ挿通穴６４には、感光ドラム１５の左側のフランジ部材５３の軸受嵌合部５５が遊動自在に挿通されている。
【０１１７】
また、図４および図７に示すように、左軸受部材６２Ｌのフランジ支持穴７５およびカラー部７６内には、左側のフランジ部材５３の軸受嵌合部５５が相対回転可能に嵌合されている。
【０１１８】
また、左軸受部材６２Ｌのクリーニング軸受支持穴７７内には、クリーニング軸受部材６１のクリーニング軸受部６３が遊嵌されている。また、左軸受部材６２Ｌの軸受係止溝７８内には、クリーニング軸受部材６１の係止ボス７９が遊嵌されている。
【０１１９】
これにより、クリーニングローラ５１のローラ軸５６の左端部は、クリーニング軸受部６３がクリーニング軸受支持穴７７内を前後方向に移動可能な分、クリーニング軸受部材６１とともに前後方向に移動可能である。
【０１２０】
また、右軸受部材６２Ｒのフランジ支持穴６６およびカラー部６９内には、右側のフランジ部材５３の軸受嵌合部５５が相対回転可能に嵌合されている。
【０１２１】
また、カートリッジ側電極８１のクリーニング軸保持部８２は、クリーニングローラ５１のローラ軸５６の右端部に対して相対回転可能に嵌合（ローラ軸５６の径方向外側から嵌合）されている。カートリッジ側電極８１の接触部８７は、ローラ軸５６の右端縁に右側から接触されている。
【０１２２】
これにより、クリーニングローラ５１のローラ軸５６の右端部は、カートリッジ側電極８１のクリーニング軸保持部８２が電極支持穴７０内を前後方向に移動可能な分、カートリッジ側電極８１とともに前後方向に移動可能となっている。すなわち、カートリッジ側電極８１は、クリーニングローラ５１の前後方向の移動に伴なって、前後方向に移動可能であり、これにより、クリーニングローラ５１は、前後方向に移動可能である。
【０１２３】
そして、感光ドラム１５およびクリーニングローラ５１を支持する両ドラム軸受部材６２は、カラー部６９またはカラー部７６がドラム軸受支持穴３９内に嵌合されるように、ドラムフレーム３１に支持されている。
【０１２４】
このとき、カートリッジ側電極８１の突出部８３は、図２および図４に示すように、ドラムフレーム３１の電極露出穴４０から、わずかに右側へ膨出するように、露出されている。
【０１２５】
そして、クリーニングローラ５１のローラ軸５６には、押圧部材４１の軸当接部４４が、後側から当接されるように、ローラ軸５６の径方向外側から相対回転可能に当接されている。このとき、軸当接部４４は、ローラ本体５７の左右方向端部とローラ軸５６の左右方向端部との間において、ローラ本体５７側に配置されている。
【０１２６】
これにより、クリーニングローラ５１は、押圧部材４１によって、常には、感光ドラム１５へ向かって前側へ押圧され、感光ドラム１５に対して後側から弾性的に接触されている。
３．本体側電極
図２に示すように、本体ケーシング２内には、プロセスカートリッジ１１の右側近傍において、本体側電極９１を備えている。
【０１２７】
本体側電極９１は、金属などの導電性と弾性とを有する材料から、左右方向に延びる螺旋形状に形成されている。また、本体側電極９１の左端部には略円環形状の接点部９２が設けられている。本体側電極９１は、本体ケーシング２内の電源（図示せず）に電気的に接続されている。
４．クリーニングローラの位置決め
プロセスカートリッジ１１が本体ケーシング２に装着されると、図２および図４に示すように、プロセスカートリッジ１１のカートリッジ側電極８１の突出部８３の右面が、本体ケーシング２内において本体側電極９１の接点部９２に、左側から当接される。すなわち、カートリッジ側電極８１の突出部８３の右面は、カートリッジ接点を含んでいる。
【０１２８】
すると、本体側電極９１の弾性によって、カートリッジ側電極８１が左側へ押圧され、クリーニングローラ５１がカートリッジ側電極８１とともに左側へ移動される。
【０１２９】
すると、クリーニングローラ５１のローラ軸５６の左端部は、クリーニング軸受部材６１および左軸受部材６２Ｌを介して、ドラムフレーム３１の左側の側壁３２の内面（右面）に押し付けられる。
【０１３０】
これにより、クリーニングローラ５１が左右方向において位置決めされる。すなわち、ドラムフレーム３１の左側の側壁３２の後端部は、位置決め部として機能する。
５．クリーニング動作
プロセスカートリッジ１１が本体ケーシング２に装着されると、本体ケーシング２内のカップリング部材（図示せず）の嵌合突起（図示せず）が、左側のフランジ部材５３の各カップリング嵌合溝５０に嵌合される。これにより、本体ケーシング２内の駆動源（図示せず）からの駆動力が、カップリング部材（図示せず）を介して、感光ドラム１５に入力される。
【０１３１】
すると、感光ドラム１５がその中心軸線を中心に回転されるとともに、伝達ギヤ５８を介して、クリーニングローラ駆動ギヤ５９に駆動力が伝達される。
【０１３２】
すると、クリーニングローラ駆動ギヤ５９からローラ軸５６に駆動力が伝達され、クリーニングローラ５１が、ローラ軸５６の中心軸線Ａ（軸線）を中心に回転される。
【０１３３】
このとき、クリーニングローラ５１は、感光ドラム１５の回転に追従して、前後方向に弾性的にわずかに移動される。
【０１３４】
そして、本体ケーシング２内の電源（図示せず）から本体側電極９１を介してカートリッジ側電極８１にクリーニングバイアスが入力されると、感光ドラム１５の周面に付着したトナーや紙粉などの付着物が、クリーニングローラ５１に転写される。
【０１３５】
これにより、感光ドラム１５の周面がクリーニングされる。
６．作用効果
（１）このプリンタ１およびドラムカートリッジ２４によれば、図４に示すように、クリーニングローラ５１は、感光ドラム１５に接触するとともに前後方向に移動可能である。
【０１３６】
また、カートリッジ側電極８１は、クリーニングローラ５１とともに前後方向に移動可能である。
【０１３７】
そのため、カートリッジ側電極８１を、クリーニングローラ５１の前後方向への移動に追従させることができる。
【０１３８】
これにより、クリーニングローラ５１が前後方向へ移動されたときに、カートリッジ側電極８１とクリーニングローラ５１とが擦れることを抑制できる。
【０１３９】
その結果、カートリッジ側電極８１およびクリーニングローラ５１の摩耗を抑制して、クリーニングローラ５１に電力を安定供給することができる。
【０１４０】
また、このドラムカートリッジ２４によれば、図８に示すように、右軸受部材６２Ｒにおいて、カートリッジ側電極８１を保持するとともに、感光ドラム１５の右側のフランジ部材５３を支持することができる。
【０１４１】
そのため、感光ドラム１５を支持する部材と、カートリッジ側電極８１を保持する部材とを、別途設ける必要がなく、部品点数の低減を図ることができる。
（２）また、このドラムカートリッジ２４によれば、図４に示すように、カートリッジ側電極８１のクリーニング軸保持部８２を利用して、クリーニングローラ５１を保持することができる。
【０１４２】
そのため、別途、クリーニングローラ５１を保持する部材を設ける必要がなく、部品点数の低減を図ることができる。
（３）また、このドラムカートリッジ２４によれば、図８に示すように、電極支持穴７０は、前後方向に長径な長穴形状に形成されている。
【０１４３】
そのため、カートリッジ側電極８１を、前後方向において遊びを持たせて、保持することができる。
【０１４４】
これにより、カートリッジ側電極８１を、前後方向へのクリーニングローラ５１の移動に確実に追従させることができる。
【０１４５】
その結果、クリーニングローラ５１に、より安定して、電力を供給することができる。
（４）また、このドラムカートリッジ２４によれば、図１０（ｂ）に示すように、カートリッジ側電極８１は、右軸受部材６２Ｒに対して左右方向に相対的に移動可能である。
【０１４６】
そのため、カートリッジ側電極８１を、左右方向へのクリーニングローラ５１の移動に確実に追従させることができる。
【０１４７】
そのため、クリーニングローラ５１に、より一層安定して、電力を供給することができる。
（５）また、このドラムカートリッジ２４によれば、図４に示すように、カートリッジ側電極８１の突出部８３は、ドラムフレーム３１の右側の側壁３２よりも右側（クリーニングローラ５１と反対側）に突出している。
【０１４８】
そのため、突出部８３の右面に対して外部（右側）から本体側電極９１を容易に接触させることができる。
（６）また、このドラムカートリッジ２４によれば、図９（ａ）に示すように、カートリッジ側電極８１のクリーニング軸保持部８２には、その右側前端縁から前側へ突出する略角柱形状の係止突起８６が形成されている。つまり、カートリッジ側電極８１は、クリーニングローラ５１の中心軸線Ａを中心として非点対称の形状を有している。
【０１４９】
そのため、カートリッジ側電極８１が、クリーニングローラ５１の中心軸線Ａを中心として回転することを規制することができる。
【０１５０】
その結果、カートリッジ側電極８１に対して、本体ケーシング２の電源（図示せず）から安定して電力を入力することができる。
（７）また、このドラムカートリッジ２４によれば、クリーニングローラ５１により、感光ドラム１５の周面をクリーニングすることができる。
（８）また、このドラムカートリッジ２４によれば、カートリッジ側電極８１を、導電性樹脂から容易に成形することができる。
（９）また、このドラムカートリッジ２４によれば、図４に示すように、クリーニングローラ５１を感光ドラム１５に向かって押圧する押圧部材４１を備えている。
【０１５１】
そのため、押圧部材４１の押圧力により、クリーニングローラ５１を感光ドラム１５に安定して接触させることができる。
（１０）詳しくは、図４および図６に示すように、ローラ軸５６に押圧部材４１の軸当接部４４を相対回転可能に当接し、押圧部材収容部４２の後壁と軸当接部４４との間において、圧縮ばね４３を圧縮状態で配置している。
【０１５２】
これにより、簡易な構成で、クリーニングローラ５１を感光ドラム１５に対して押圧することができ、クリーニングローラ５１を感光ドラム１５に安定して接触させることができる。
（１１）また、このドラムカートリッジ２４によれば、図４に示すように、押圧部材４１の軸当接部４４は、ローラ本体５７の左右方向端部と、ローラ軸５６の左右方向端部との間において、ローラ本体５７側に配置されている。
【０１５３】
そのため、よりローラ本体５７の近傍において、押圧部材４１の軸当接部４４をローラ軸５６に対して当接させることができる。
【０１５４】
そのため、ローラ本体５７を感光ドラム１５に対して安定に押圧することができる。
（１２）また、このプリンタ１によれば、図４に示すように、本体側電極９１をカートリッジ側電極８１に対して右側から弾性的に接触させて、カートリッジ側電極８１とクリーニングローラ５１とを、ドラムフレーム３１の左側の側壁３２に対して位置決めすることができる。
【０１５５】
そのため、本体側電極９１をカートリッジ側電極８１に対して確実に接触させることができながら、カートリッジ側電極８１とクリーニングローラ５１とをドラムフレーム３１に対して位置決めすることができる。
７．変形例
上記した実施形態では、右軸受部材６２Ｒ（第１側壁の一例）を介して、右側の側壁３２（第３側壁の一例）に感光ドラム１５の右側のフランジ部材５３を支持させ、左軸受部材６２Ｌ（第２側壁の一例）を介して、左側の側壁３２（第４側壁の一例）に感光ドラム１５の左側のフランジ部材５３を支持させている。
【０１５６】
しかし、感光ドラム１５の右側のフランジ部材５３は、直接、右側の側壁３２に支持されてもよく、感光ドラム１５の左側のフランジ部材５３は、直接、左側の側壁３２に支持されてもよい。
【０１５７】
この場合、右側の側壁３２が第１側壁として機能し、左側の側壁３２が第２側壁として機能する。
【０１５８】
また、上記した実施形態では、回転体の一例としてクリーニングローラ５１を挙げ、カートリッジ側電極８１が感光体ドラム１５と接触するクリーニングローラ５１にバイアスを供給するように構成したが、この構成は、感光体に対向されて本体ケーシング２からバイアスが印加される各種の回転体（例えば、転写ローラ、帯電ローラ、現像ローラなど）に適用することができる。
【０１５９】
また、上記した実施形態では、電極支持穴７０が前後方向に長手の長穴形状を有していたが、電極支持穴７０の形状は、カートリッジ側電極８１が前後方向において遊嵌可能であれば特に限定されない。例えば、電極支持穴７０は、カートリッジ側電極８１の前後方向長さよりも長い直径を有する略円形状に形成されていてもよい。
【符号の説明】
【０１６０】
１      プリンタ
２      本体ケーシング
１５    感光ドラム
２４    ドラムカートリッジ
３２    側壁
４１    押圧部材
４３    圧縮ばね
４４    軸当接部
５１    クリーニングローラ
５６    ローラ軸
５７    ローラ本体
６２Ｒ  右軸受部材
６２Ｌ  左軸受部材
６５    フランジ支持部
７０    電極支持穴
８１    カートリッジ側電極
８２    クリーニング軸保持部
８３    突出部
９１    本体側電極
Ａ      中心軸線
【図１】
0005895401.tif 000002
【図２】
0005895401.tif 000003
【図３】
0005895401.tif 000004
【図４】
0005895401.tif 000005
【図５】
0005895401.tif 000006
【図６】
0005895401.tif 000007
【図７】
0005895401.tif 000008
【図８】
0005895401.tif 000009
【図９】
0005895401.tif 000010
【図１０】
0005895401.tif 000011